【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
ワイヤレス電力充電の方法であって、
ワイヤレス電力トランスミッターによって、前記ワイヤレス電力トランスミッターの充電領域内の第1のワイヤレス電力レシーバーおよび第2のワイヤレス電力レシーバーへワイヤレス電力を送信するステップと、
前記ワイヤレス電力トランスミッターにおいて、前記第1のワイヤレス電力レシーバーの整流器の出力での第1の電圧の第1の指示を受信するステップと、
前記ワイヤレス電力トランスミッターにおいて、前記第2のワイヤレス電力レシーバーの整流器の出力での第2の電圧の第2の指示を受信するステップと、
前記第1の電圧または前記第2の電圧のいずれかが第1の閾値より高い、または第2の閾値より低い場合に前記送信されたワイヤレス電力を調整するステップと
を含む方法。
【請求項２】
前記送信されたワイヤレス電力を調整するステップは、前記第1の電圧または前記第2の電圧のいずれかが前記第1の閾値より高い場合に前記送信されたワイヤレス電力トランスミッターの電力増幅器から出力される電圧を減少させるステップを含む、請求項1に記載の方法。
【請求項３】
前記送信されたワイヤレス電力を調整するステップは、前記第1の電圧または前記第2の電圧のいずれかが前記第2の閾値より低い場合に前記送信されたワイヤレス電力トランスミッターの電力増幅器から出力される電圧を増大させるステップを含む、請求項1に記載の方法。
【請求項４】
前記送信されたワイヤレス電力を調整するステップは、
前記第1の電圧または前記第2の電圧のいずれかが前記第1の閾値より高い場合に前記送信されたワイヤレス電力を減少させるステップと、
前記第1の電圧または前記第2の電圧のいずれかが前記第2の閾値より低い場合に前記送信されたワイヤレス電力を増大させるステップであって、前記第2の閾値は前記第1の閾値より低い、増大させるステップと、
前記第1の電圧または前記第2の電圧のいずれかが、前記第2の閾値より高く、かつ、第3の閾値より低い場合に、前記送信されたワイヤレス電力を減少させるステップであって、前記第3の閾値は前記第1の閾値より低い、減少させるステップと
を含む、請求項1に記載の方法。
【請求項５】
前記ワイヤレス電力トランスミッターによって、前記充電領域内の複数のワイヤレス電力レシーバーからの電力メッセージを受信するステップと、
前記受信された電力メッセージのそれぞれに関連付けられた識別子に基づいて、電力メッセージが前記充電領域内の全てのワイヤレス電力レシーバーから受信されたかどうかを判定するステップと、
前記電力メッセージが前記充電領域内の全てのワイヤレス電力レシーバーから受信されたと判定することに少なくとも部分的に基づいて、前記送信されたワイヤレス電力を調整するかどうかを判定するステップと
をさらに含む、請求項1に記載の方法。
【請求項６】
前記ワイヤレス電力トランスミッターによって、前記送信されたワイヤレス電力のパルス位置変調を介して、前記第1のワイヤレス電力レシーバーから前記第1の電圧の前記第1の指示を受信するステップをさらに含む、請求項1に記載の方法。
【請求項７】
前記ワイヤレス電力トランスミッターの電力増幅器に現れるインピーダンス変化のタイミングを決定するステップを介して、前記第1の電圧の値を決定するステップをさらに含む、請求項1に記載の方法。
【請求項８】
前記ワイヤレス電力トランスミッターのローパスフィルターを介して、前記受信された第1の指示をフィルタリングすることによって、前記第1の電圧の値を決定するステップをさらに含む、請求項1に記載の方法。
【請求項９】
ワイヤレス電力充電のためのワイヤレス電力トランスミッターであって、
アンテナの充電領域内の第1のワイヤレス電力レシーバーおよび第2のワイヤレス電力レシーバーへワイヤレス電力を送信するように構成されるアンテナと、
通信回路であって、
前記第1のワイヤレス電力レシーバーの整流器の出力での第1の電圧の第1の指示と、
前記第2のワイヤレス電力レシーバーの整流器の出力での第2の電圧の第2の指示と
を受信するように構成される通信回路と、
前記第1の電圧または前記第2の電圧のいずれかが第1の閾値より高いか、または第2の閾値より低い場合に前記送信されたワイヤレス電力を調整するように構成されるコントローラ回路と
を含むワイヤレス電力トランスミッター。
【請求項１０】
前記アンテナに動作可能に結合される電力増幅器をさらに含み、前記コントローラ回路は、前記第1の電圧または前記第2の電圧のいずれかが前記第1の閾値より高い場合に、前記電力増幅器から出力される電圧を減少させることを介して、前記送信されたワイヤレス電力を調整するようにさらに構成される、請求項9に記載のワイヤレス電力トランスミッター。
【請求項１１】
前記アンテナに動作可能に結合される電力増幅器をさらに含み、前記コントローラ回路は、前記第1の電圧または前記第2の電圧のいずれかが前記第2の閾値より低い場合に、前記電力増幅器から出力される電圧を増大させることを介して、前記送信されたワイヤレス電力を調整するようにさらに構成される、請求項9に記載のワイヤレス電力トランスミッター。
【請求項１２】
前記コントローラ回路は、
前記第1の電圧または前記第2の電圧のいずれかが前記第1の閾値より高い場合に前記送信されたワイヤレス電力を減少させることと、
前記第1の電圧または前記第2の電圧のいずれかが前記第2の閾値より低い場合に前記送信されたワイヤレス電力を増大させることであって、前記第2の閾値は前記第1の閾値より低い、増大させることと、
前記第1の電圧または前記第2の電圧のいずれかが、前記第2の閾値より高く、かつ、第3の閾値より低い場合に、前記送信されたワイヤレス電力を減少させることであって、前記第3の閾値は前記第1の閾値より低い、減少させることと
を介して、前記送信されたワイヤレス電力を調整するように構成される、請求項9に記載のワイヤレス電力トランスミッター。
【請求項１３】
前記通信回路は、前記充電領域内の複数のワイヤレス電力レシーバーからの電力メッセージを受信するようにさらに構成され、
前記コントローラ回路は、
前記受信された電力メッセージのそれぞれに関連付けられた識別子に基づいて、電力メッセージが前記充電領域内の全てのワイヤレス電力レシーバーから受信されたかどうかを判定し、
前記電力メッセージが前記充電領域内の全てのワイヤレス電力レシーバーから受信されたと判定することに少なくとも部分的に基づいて、前記送信されたワイヤレス電力を調整するかどうかを判定する
ようにさらに構成される、請求項9に記載のワイヤレス電力トランスミッター。
【請求項１４】
前記通信回路は、前記送信されたワイヤレス電力のパルス位置変調を介して、前記第1のワイヤレス電力レシーバーから前記第1の電圧の前記第1の指示を受信するようにさらに構成される、請求項9に記載のワイヤレス電力トランスミッター。
【請求項１５】
ローパスフィルターをさらに含み、前記コントローラ回路は、前記ローパスフィルターを介して前記受信された第1の指示をフィルタリングすることによって、前記第1の電圧の値を決定するようにさらに構成される、請求項9に記載のワイヤレス電力トランスミッター。
【請求項１６】
ワイヤレス電力充電のためのワイヤレス電力トランスミッターであって、
前記ワイヤレス電力トランスミッターの充電領域内の第1のワイヤレス電力レシーバーおよび第2のワイヤレス電力レシーバーへワイヤレス電力を送信するための手段と、
前記第1のワイヤレス電力レシーバーの整流器の出力での第1の電圧の第1の指示を受信するための手段と、
前記第2のワイヤレス電力レシーバーの整流器の出力での第2の電圧の第2の指示を受信するための手段と、
前記第1の電圧または前記第2の電圧のいずれかが第1の閾値より高い、または第2の閾値より低い場合に前記送信されたワイヤレス電力を調整するための手段と
を含むワイヤレス電力トランスミッター。